(57)【要約】【課題】  複数のノズルを有するプリントヘッドを斜め並行に配置したインクジェット記録装置においては、隣接するプリントヘッドのつなぎ目部において、つなぎ目をまたいで隣接するインクドットの付着タイミングに時間差が生じる。揮発性が高く乾燥しやすいインクで記録を行う場合、記録結果に筋ムラが生じる要因となっていた。【解決手段】  複数のノズルを有するプリントヘッドの組み合わせにより多数のノズルを備えるヘッドユニット部と、該ノズルを駆動する駆動手段を有し、記録媒体あるいは前記ヘッド部を摺動しながら、前記ノズルを順次駆動させ、インクドットを記録媒体へ付着させて記録を行うインクジェット記録装置において、互いに隣接する前記プリントヘッドを、交叉する方向に配列し、記録媒体上での付着位置が隣接するインクドット同士の前記ノズルからの噴射タイミングの時間差を短くしたことを特徴とする。【選択図】図１
2006001165.tif 000002
【特許請求の範囲】
【請求項１】
複数のノズルを有するプリントヘッドの組み合わせにより多数のノズルを備えるヘッドユニット部と、該ノズルを駆動する駆動手段を有し、記録媒体あるいは前記ヘッド部を摺動しながら、前記ノズルを順次駆動させ、インクドットを記録媒体へ付着させて記録を行うインクジェット記録装置において、互いに隣接する前記プリントヘッドを、交叉する方向に配列し、記録媒体上での付着位置が隣接するインクドット同士の前記ノズルからの噴射タイミングの時間差を短くしたことを特徴とするインクジェット記録装置。
【発明の詳細な説明】
【技術分野】
【０００１】
本発明は、複数のノズルを有するプリントヘッドの組み合わせにより多数のノズルを備えるインクジェット記録装置に係わり、記録媒体あるいはヘッド部を摺動しながら、ノズルから順次インクドットを噴射させ、記録媒体へインクドットを付着させて記録を行うインクジェット記録装置に関するものである。
【背景技術】
【０００２】
従来から利用されている、複数のノズルを有するプリントヘッドの組み合わせにより多数のノズルを備えるインクジェット記録装置の一例を図２に示す。複数のノズルを有するプリントヘッドの組み合わせにより多数のノズルを備えるヘッドユニット部を有し、記録媒体あるいは前記ヘッドユニット部を摺動しながら、前記ノズルを順次駆動させ、記録媒体上にインクドットを付着させることにより記録を行っている。
【０００３】
記録媒体への記録に必要とする時間を短縮することを目的としたインクジェット記録装置では、単位時間あたりに噴射させるインクドットの数を増やすために、多数のノズルを備えることで同時に噴射させるインクドットの数を増やし、記録に必要とする時間を短縮していた。このような多数のノズルを備えるインクジェット記録装置では、プリントヘッドの構成の簡素化による歩留まりの向上のため、またプリントヘッド不良時の交換等における作業性、利便性を向上させるために、ノズルをある数量単位に分割し、概数量単位のノズルを有するプリントヘッドを複数個組み合わせるといった構成がなされている。
【０００４】
図２は従来のインクジェット記録装置におけるヘッド部の構成図である。またこのようなインクジェット記録装置において、プリントヘッド１、２内に並ぶノズル群の解像度Ｌ１より高い記録解像度Ｌ２を得るために、図２に示すようにプリントヘッド１、２を斜め並行方向に配置する構成がなされていた。図２ではプリントヘッド２本分のヘッド配列、およびドット着地位置を示している。
【発明の開示】
【発明が解決しようとする課題】
【０００５】
従来の複数のノズルを有するプリントヘッドの組み合わせにより多数のノズルを備えるインクジェット記録装置では、プリントヘッド内に並ぶノズルの解像度より高い記録解像度を得るためにプリントヘッドを斜めに配置している。この場合、ヘッドのつなぎ目部において、つなぎ目部をまたいで隣接する２つのノズルから噴射されるインクドットが記録媒体へ付着するタイミングに時間差が生じる。特に揮発性が高く乾燥しやすいインクで記録する場合、２つのインクドットが付着するタイミングの前記時間差によって、先に付着し充分乾燥したインクドットに隣接して、次のインクドットを付着させることになるため、記録結果として筋ムラが生じる要因となっていた。従って記録結果の印刷品質を向上するには、プリントヘッドのつなぎ目部をまたいで隣接する２つのノズルから噴射されるインクドットが、記録媒体に付着するタイミングの時間差を短くし、記録媒体上でのインクドットの付着特性を均一化することが要求される。
【０００６】
本発明の課題は、複数のノズルを有するプリントヘッドの組み合わせにより多数のノズルを備えるインクジェット記録装置において、揮発性が高く乾燥しやすいインクで記録する場合においても、プリントヘッドのつなぎ目部における、インクドットの付着タイミングの時間差による筋ムラを軽減することを目的としたインクジェット記録技術を確立することにある。
【課題を解決するための手段】
【０００７】
上記課題を解決するため、本発明のインクジェット記録装置は、複数のノズルを有するプリントヘッドの組み合わせにより多数のノズルを備えるヘッドユニット部と、該ノズルを駆動する駆動手段を有し、記録媒体あるいは前記ヘッド部を摺動しながら、前記ノズルを順次駆動させ、インクドットを記録媒体へ付着させて記録を行うインクジェット記録装置において、互いに隣接する前記プリントヘッドを、交叉する方向に配列し、記録媒体上での付着位置が隣接するインクドット同士の前記ノズルからの噴射タイミングの時間差を短くしたことを特徴とする。
【発明の効果】
【０００８】
本発明によれば、複数のノズルを有するプリントヘッドの組み合わせにより多数のノズルを備えるインクジェット記録装置において、各プリントヘッドの配列により、プリントヘッドのつなぎ目部をまたいで隣接したノズルから噴射されるインクドットの付着タイミングの時間差を縮めることができ、記録結果の筋ムラを軽減し、印刷品質を向上させる。
【発明を実施するための最良の形態】
【０００９】
以下、本発明を一実施例によって説明する。以下の説明において、図２と共通する部分には同符号を付して説明する。
【００１０】
図３に示す、ｎ個のノズルを有するプリントヘッドを複数個並べたヘッドユニット部８を有するインクジェット記録装置において、記録媒体あるいは前記ヘッドユニット部を摺動させながら、プリントヘッド１が記録媒体９へインクドットを噴射し、定められたドット位置に付着させる。図２に示す、プリントヘッド１に並んだノズル３の解像度Ｌ１よりも高い記録解像度Ｌ２を得るための従来のインクジェット記録装置におけるプリントヘッドの配列では、プリントヘッド１のノズル３からのインクドットがドット位置５に付着後、インクドット記録方向７へプリントヘッド、あるいは記録媒体が移動し、プリントヘッドのノズルからインクドットが噴射される。プリントヘッド１のノズル３からのインクドットがドット位置５に付着してから、プリントヘッドのつなぎ目部をまたいで隣接する、プリントヘッド２のノズル４から噴射されるインクドットがドット位置６に付着するまでに、（ノズルの駆動周波数×ｎ）の時間を要することになる。この時間差を縮めるために、図１に示すように、各プリントヘッドが交差する方向にプリントヘッド１およびプリントヘッド２を並べることにより、プリントヘッド１のノズル３から噴射されたインクドットが記録媒体９のドット位置５へ付着するタイミングから、プリントヘッドのつなぎ目部をまたいで隣接したプリントヘッド２のノズル４から噴射されるインクドットが記録媒体９のドット位置６へ付着するタイミングまでの時間差を縮めることが可能となる。揮発性が高く乾燥しやすいインクで記録する場合においても、先に記録媒体のドット位置５へ付着したインクドットが完全に乾燥する前に、隣接したドット位置６へインクドットを付着させることが出来る。２つの隣接したインクドットは記録媒体上での膜厚が均一となり、記録結果における筋ムラを低減することが出来る。記録結果の全体に渡って隣接したインクドットの付着タイミングの差を縮めることが出来るため、インクドットの記録媒体上での付着特性を均一化し、印刷品質を向上することが出来る。
【図面の簡単な説明】
【００１１】
【図１】本発明のプリントヘッドの配列とドット着地位置を示す基本概念図。
【図２】従来のプリントヘッド配列とドット着地位置を示す基本概念図。
【図３】複数のプリントヘッドを備えたインクジェット記録装置の基本概念図。
【符号の説明】
【００１２】
１はプリントヘッド、２は１に隣接するプリントヘッド、３はノズル、４は３にプリントヘッドのつなぎ目をまたいで隣接するノズル、５は付着インクドット、６は隣接する付着インクドット、７はインクドット記録方向、８はヘッドユニット部、９は記録媒体である。
【図１】
2006001165.tif 000003
【図２】
2006001165.tif 000004
【図３】
2006001165.tif 000005